(57)【特許請求の範囲】
【請求項１】
複数の動作モードを有し、それぞれ個々に実行可能な電子機器であって、
前記複数のモードを所定の手順で実行するモード制御手段と、
前記電子機器が、操作者によって支持されているか否かを判別する判別手段と、
前記判別手段の出力に基づいて、前記モード制御手段を制御し、前記電子機器が操作者に支持されていると判別された場合には、前記モード制御手段のモード実行動作を停止する制御手段とを備えたことを特徴とする電子機器。
【請求項２】
請求項１において、前記モード制御手段は、前記複数のモードを順次所定時間ずつ実行するように制御する手段であることを特徴とする電子機器。
【請求項３】
請求項２において、前記電子機器は、ビデオカメラであり、前記複数のモードはデジタル画像信号処理動作からなることを特徴とする電子機器。
【請求項４】
請求項３において、前記制御手段は、前記判別手段によって操作者が支持していることが検出された場合には、前記モード制御手段の実行を中断して、通常撮影動作の実行を可能とし、前記操作者が支持していないことが判別された場合には、前記モード制御手段の実行を再開するように構成されていることを特徴とする電子機器。
【請求項５】
請求項１または４において、前記判別手段は、手ブレ検出手段を備え、該手ブレ検出手段の手ブレ情報にしたがって操作者が支持しているか否かの判別を行うように構成したことを特徴とする電子機器。
【請求項６】
請求項１または４において、前記判別手段は、映像信号中より動きベクトルを検出する動き検出手段を備え、該動き検出手段の出力にしたがって操作者が支持しているか否かの判別を行うように構成したことを特徴とする電子機器。
【請求項７】
請求項１または４において、前記判別手段は、前記電子機器本体が台等に載置されたことを検出する手段であることを特徴とする電子機器。
【請求項８】
複数の動作モードを有し、それぞれ個々に実行可能な電子機器であって、
撮影動作を行う撮影手段と、
前記複数のモードを所定の手順で順次所定の時間ずつ実行するモード制御手段と、
前記電子機器が、操作者によって支持されているか否かを判別する判別手段と、
前記判別手段の出力に基づいて、前記撮影手段及び前記モード制御手段を制御し、前記モード制御手段の動作中に、前記電子機器が操作者に支持されていると判別された場合には、前記モード制御手段のモード実行動作を中断して前記撮影手段の動作を可能とする制御手段と、
備えたことを特徴とする電子機器。
【請求項９】
請求項８において、
前記電子機器は、ビデオカメラであり、前記複数のモードはデジタル画像信号処理動作からなることを特徴とする電子機器。
【請求項１０】
請求項８において、前記制御手段は、前記判別手段によって操作者が支持していることが検出された場合には、前記モード制御手段の実行を中断して、通常撮影動作の実行を可能とし、前記操作者が支持していないことが判別された場合には、前記モード制御手段の実行を再開するように構成されていることを特徴とする電子機器。
【請求項１１】
デモンストレーションモードを有する電子機器であって、
前記デモンストレーションモードを実行するモード制御手段と、
前記電子機器が、操作者によって支持されているか否かを判別する判別手段と、
前記判別手段の出力に基づいて、前記モード制御手段を制御し、前記電子機器が操作者に支持されていると判別された場合には、前記モード制御手段のモード実行動作を停止する制御手段とを備えたことを特徴とする電子機器。
【請求項１２】
請求項１１において、前記制御手段は、前記判別手段によって操作者が支持していることが検出された場合には、前記モード制御手段の実行を中断して、通常撮影動作の実行を可能とし、前記操作者が支持していないことが判別された場合には、前記モード制御手段の実行を再開するように構成されていることを特徴とする電子機器。
【発明の詳細な説明】
【０００１】
【産業上の利用分野】
本発明はデモンストレーション機能を備えた電子機器の制御に関するものである。
【０００２】
【従来の技術】
ワンチップマイコンの大容量化や処理の高速化、大規模メモリの低価格化等は、近年の半導体技術の向上により急速に進みつつある。これに伴って、上記のような大規模集積回路が民生用機器にも続々と搭載されるようになり、小型で安価でありながら、様々な機能を併せ持つ製品が店頭を賑わす様になってきている。
【０００３】
デビオ一体型カメラはその代表的な製品例である。かつては単に映像を撮影して記録／再生するだけの機能しかなかったが、現在ではデジタルメモリ等を用いて映像信号を電気的に加工したり、映像の一部分を拡大したりする特殊効果機能を持つものが多い。
【０００４】
一方、上述の様に多くの機能を併せ持つ製品に於いては、多くの機能を持っていることを店頭で客に上手く訴えることも必要である。これは客の側から見ても、その製品の機能を容易に確認できることが望ましい。近年、その訴え方の一つの手段として「デモモード」を持つ製品が増えてきている。デモモードとは、その製品が持つ一連の機能を順番に自動的に実行し、各機能の効果を視覚等に直接訴える手段である。
【０００５】
例えばデジタル画像メモリを搭載したビデオ一体型カメラに於いては、図３に示す様な撮影画像のデジタル処理を行うことが出来る。各特殊処理の内容自体は周知であるのでその説明は省略するが、例えば画像を瞬時に所定倍率に拡大するテレコン（テレコンバータ）や間欠記録のストロボ、画像をオーバラップさせたり、フェードさせる等、使用頻度の高い特殊効果である。そしてこれらの機能を文字でカタログ等に表示するより、具体的にどのような映像になるのかをデモモードで直接訴えた方が、解りやすいし、効果も大きい。
【０００６】
図１３はビデオ一体型カメラをデモモードに切り換える為の操作の手順の一例を示している。Ｓ６１で操作を開始し、先ずＳ６２で製品上の電源スイッチを操作して電源をＯＦＦにする。
【０００７】
そして、Ｓ６３で同じく製品上のビデオテープの早送り（ＦＦ）キーと巻戻し（ＲＥＷ）キーを両方共押す。上記２つのキーを両方共押したままＳ６４で上記電源をＯＮすると、Ｓ６５へと移行してデモモードとしてカメラが動作する。このデモモードが実行されると、そのビデオカメラの持つ各種動作モードが順次実行される。
【０００８】
デモモードから抜けるには、Ｓ６６のＥＮＤ処理で電源をＯＦＦし、上記２つのキーを同時に押さずに電源をＯＮする。この様にすると通常の動作を実行する。
【０００９】
この時のビデオカメラ内のシステム全体をコントロールするシステムコントロール回路（以下シスコンと称す）内の処理を図１４に示す。
【００１０】
Ｓ７１で処理をスータトし、Ｓ７２で電源ＯＮが確認されると、早送りと巻戻しの両キーが同時に押されているかどうかをＳ７３で確認する。同時に押されている場合にはＳ７４でデモモードとし、早送りと巻戻しの両キーが押されていないときにはＳ７５で通常動作モードとする。そして、電源がＯＦＦされるまで、Ｓ７４又はＳ７５で設定されたモードを維持する。
【００１１】
【発明が解決しようとする課題】
しかしながら、上記従来例に於いては、店頭デモを客が見て、実際に手に取って使ってみたいと思った場合であっても、一旦電源をＯＦＦして再度電源をＯＮしない限り、通常のビデオ一体型カメラの動作には移行しない。
【００１２】
また、通常動作で一旦製品を立ち上げてしまうと、図９のような操作をやり直さない限り、デモモードを再開することが出来ない。従って使い方が解らない客にはとても不便であるし、これを解消する為にはデモ機のそばに説明員が常駐していなければならず、販売店に対しても、客に対しても煩わしさを残す結果となる。これは店頭に限ったものではなく、使用者が、ビデオカメラの機能を確認したり、他の人に説明する場合も同様である。
【００１３】
そこで、本願の第１の課題は、デモ中にユーザーが製品を試用してみようと思ったことを自動的に検出し、上述の煩わしい操作を経ずともユーザーが円滑に試用出来るようにすることであり、本願の第２の課題は、ユーザーが製品の試用を終わったことを自動的に検出し、再度設定し直すことなく、自動的にデモの実行を再開させることを可能として操作性を向上することにある。
【００１４】
【課題を解決するための手段】
上述の課題を計羯するために、本願における請求項１に記載の発明によれば、複数の動作モードを有し、それぞれ個々に実行可能な電子機器であって、前記複数のモードを所定の手順で実行するモード制御手段と、前記電子機器が、操作者によって支持されているか否かを判別する判別手段と、前記判別手段の出力に基づいて、前記モード制御手段を制御し、前記電子機器が操作者に支持されていると判別された場合には、前記モード制御手段のモード実行動作を停止する制御手段と備えた構成とする。
【００１５】
また本願における請求項２に記載の発明によれば、請求項１において、前記モード制御手段を、前記複数のモードを順次所定時間ずつ実行するように制御する手段とする。
【００１６】
また本願における請求項３に記載の発明によれば、請求項２の発明において、前記電子機器がビデオカメラであり、前記複数のモードがデジタル画像信号処理動作からなる構成とする。
【００１７】
また本願における請求項４に記載の発明によれば、請求項３の発明において、前記制御手段を、前記判別手段によって操作者が支持していることが検出された場合には、前記モード制御手段の実行を中断して、通常撮影動作の実行を可能とし、前記操作者が支持していないことが判別された場合には、前記モード制御手段の実行を再開するように構成する。
【００１８】
また本願における請求項５に記載の発明によれば、請求項１または４の発明において、前記判別手段は、手ブレ検出手段を備え、該手ブレ検出手段の手ブレ情報にしたがって操作者が支持しているか否かの判別を行うように構成した。
【００１９】
また本願における請求項６に記載の発明によれば、請求項１または４の発明において、前記判別手段は、映像信号中より動きベクトルを検出する動き検出手段を備え、該動き検出手段の出力にしたがって操作者が支持しているか否かの判別を行うように構成する。
【００２０】
また本願における請求項７に記載の発明によれば、請求項１または４の発明において、前記判別手段は、前記電子機器本体が台等に載置されたことを検出するように構成する。
【００２１】
また本願における請求項８に記載の発明によれば、複数の動作モードを有し、それぞれ個々に実行可能な電子機器であって、撮影動作を行う撮影手段と、前記複数のモードを所定の手順で順次所定の時間ずつ実行するモード制御手段と、前記電子機器が、操作者によって支持されているか否かを判別する判別手段と、前記判別手段の出力に基づいて、前記撮影手段及び前記モード制御手段を制御し、前記モード制御手段の動作中に、前記電子機器が操作者に支持されていると判別された場合には、前記モード制御手段のモード実行動作を中断して前記撮影手段の動作を可能とする制御手段と備えた構成とする。
【００２２】
また本願における請求項９に記載の発明によれば、請求項８の発明において、
前記電子機器は、ビデオカメラであり、前記複数のモードはデジタル画像信号処理動作からなるように構成する。
また本願における請求項１０に記載の発明によれば、請求項８の発明において、前記制御手段は、前記判別手段によって操作者が支持していることが検出された場合には、前記モード制御手段の実行を中断して、通常撮影動作の実行を可能とし、前記操作者が支持していないことが判別された場合には、前記モード制御手段の実行を再開するように構成する。
また本願における請求項１１に記載の発明によれば、デモンストレーションモードを有する電子機器であって、前記デモンストレーションモードを実行するモード制御手段と、前記電子機器が、操作者によって支持されているか否かを判別する判別手段と、前記判別手段の出力に基づいて、前記モード制御手段を制御し、前記電子機器が操作者に支持されていると判別された場合には、前記モード制御手段のモード実行動作を停止する制御手段からなるように構成する。
また本願における請求項１２に記載の発明によれば、請求項１１の発明において、前記制御手段は、前記判別手段によって操作者が支持していることが検出された場合には、前記モード制御手段の実行を中断して、通常撮影動作の実行を可能とし、前記操作者が支持していないことが判別された場合には、前記モード制御手段の実行を再開するように構成する。
【００２３】
【作用】
本願における請求項１に記載の発明によれば、モード制御手段によって複数のモードを所定の手順で実行されているとき、前記判別手段によって前記電子機器が操作者に支持されていると判別された場合には、前記モード制御手段のモード実行動作が前記制御手段によって停止または禁止される。
【００２４】
また本願における請求項２に記載の発明によれば、請求項１の発明において、前記モード制御手段は前記複数のモードを順次所定時間ずつ実行するように動作する。
【００２５】
また本願における請求項３に記載の発明によれば、請求項２の発明において、前記電子機器がビデオカメラであり、前記複数のモードがデジタル画像信号処理動作からなり、ビデオカメラにおけるデジタル画像信号処理の種類及び機能を順次実行させて見ることができる。
【００２６】
また本願における請求項４に記載の発明によれば、請求項３の発明において、前記判別手段によって操作者が支持していることが検出された場合には、前記モード制御手段の実行が中断され、通常撮影動作の実行が可能となり、前記操作者が支持していないことが判別された場合には、前記モード制御手段の実行が再開される。
【００２７】
また本願における請求項５に記載の発明によれば、請求項１または４の発明において、該手ブレ検出手段の手ブレ情報にしたがって操作者が支持しているか否かの判別が行われる。
【００２８】
また本願における請求項６に記載の発明によれば、請求項１または４の発明において、映像信号中より動きベクトルを検出する動き検出手段の出力にしたがって操作者が支持しているか否かの判別が行われる。
【００２９】
また本願における請求項７に記載の発明によれば、請求項１または４の発明において、前記電子機器本体が台等に載置されたことを検出する検出手段によって使用状態の識別が行われる。
【００３０】
また本願における請求項８に記載の発明によれば、複数のモードを所定の手順で順次所定の時間ずつ実行するモード制御手段の動作中に、前記電子機器が操作者に支持されていると判別された場合には、前記モード制御手段のモード実行動作を中断されて前記撮影手段の動作が可能となる。
【００３１】
また本願における請求項９に記載の発明によれば、請求項８の発明において、前記電子機器はビデオカメラであり、ビデオカメラにおけるデジタル画像信号処理の種類及び機能を順次実行させて見ることができる。
また本願における請求項１０に記載の発明によれば、請求項８の発明において、前記判別手段によって操作者が支持していることが検出された場合には、前記モード制御手段の実行が中断され、通常撮影動作の実行が可能となり、前記操作者が支持していないことが判別された場合には、前記モード制御手段の実行が再開される。
また本願における請求項１１に記載の発明によれば、モード制御手段によってデモンストレーションモードが実行されているとき、前記判別手段によって前記電子機器が操作者に支持されていると判別された場合には、前記モード制御手段のモード実行動作が前記制御手段によって停止または禁止される。
また本願における請求項１２に記載の発明によれば、請求項８の発明において、前記判別手段によって操作者が支持していることが検出された場合には、前記モード制御手段の実行が中断され、通常撮影動作の実行が可能となり、前記操作者が支持していないことが判別された場合には、前記モード制御手段の実行が再開される。
【００３２】
【実施例】
（第１の実施例）
図１は本実施例に於けるビデオ一体型カメラのカメラ部とその周辺の基本構成を示すブロック図である。図１に於いて撮影者の目１７は接眼レンズ３６を介してビデオ一体型カメラに取付けられている電子ビューファインダ内のＬＣＤ（液晶）モニタ３４を見ている。
【００３３】
１は被写体であり、この被写体像は固定の第１郡レンズ２、変倍レンズ３、絞り４、固定の第３郡レンズ５、及びフォーカスレンズ６からなる撮影光学系を介してＣＣＤ等の撮像素子７の撮像面上に結像する。
【００３４】
撮像素子１０７で結像した像を光電変換し、その結果得られる映像信号がアンプ８を介してカメラ信号処理回路９に入力され所定の信号処理を施されて規格化された映像信号へと変換される。
【００３５】
カメラ信号処理回路９で処理された信号は増幅器１０を介し、ＬＣＤモニタ表示回路１１を経てＬＣＤモニタ３４で撮像された映像として表示される。
【００３６】
一方８の出力はＡＦ評価値処理回路１２、及び絞り制御回路１３にも入力されている。ＡＦ評価値処理回路１２では撮影された像が最も鮮鋭であるとき最大値を示す例えば高周波成分のようなＡＦ評価値が出力される。
【００３７】
又、絞り制御回路１３に於いては入力された映像信号の輝度レベルを所定の基準レベルと比較することによって露出の度合いを検出し、適正露出になるように絞り４を調節する信号をＩＧドライバ２７に出力し、ＩＧドライバ２７はその信号にしたがってＩＧメータ２８を駆動し、絞り４の開口量を制御する。レンズ／カメラ制御回路１４では、前記ＡＦ評価値が最大となるようにフォーカスレンズドライバ１５を制御してフォーカスレンズモータ１６を駆動し、フォーカスレンズ６を移動させる。
【００３８】
又、撮影者が操作する図示しない変倍スイッチによって、変倍レンズ３を駆動すべく、制御信号を変倍レンズドライバ２９に出力し、その制御信号に従って変倍レンズドライバ３０を駆動することによって変倍レンズ３を移動する。
【００３９】
レンズ／カメラ制御回路１４からは測距・測光枠位置と測距・測光範囲を示す枠制御信号が出力されており、枠生成回路３５はこの枠制御信号を受けて撮像画面内に評価値取り込み範囲すなわち測距枠、測光枠を設定すべく、ＡＦ評価値処理回路１２及び絞り制御回路１３に制御信号を出力する。
【００４０】
シスコン３１はビデオ一体型カメラ全体をコントロールするものであり、マイコンによって構成されている。シスコン３１にはスイッチ列３２が接続されていて、このスイッチ列を撮影者が操作することにより、上述のデジタル画像処理による特殊効果、ズーム動作を含む複数の機能が選択・実行される。
【００４１】
２２は手ブレによる撮影画面の揺れを光学的に頂角を変位させることによって補正する光学的補正装置（バリアングルプリズム、以後ＶＡＰと称す）である。ＶＡＰは２枚の平板ガラスの間に高屈折率の液体を封入したものであり、２枚の平板ガラスの相対角度を変化させることにより、図６に示すように、手ブレによるブレ角に応じて頂角を変化させ、光線の屈折角をコントロールし、手ブレによる画像の動きの補正を行っている。手ブレの検出はたとえば振動ジャイロセンサ等を含む手ブレ検出部１８で行われ、手ブレ検出部１８から出力される手ブレ情報が制御ライン２３を経て手ブレ補正処理回路１９に入力される。手ブレ補正処理回路１９は手ブレ情報にもとづいて、手ブレを補正する方向にＶＡＰを制御すべくドライバ２０に補正信号を出力し、ドライバ２０は制御ライン２６を介してＶＡＰ駆動用アクチュエータを駆動する。３６は図示しないＶＡＰの移動位置を検出するＶＡＰ頂角センサからの出力をアンプ２１に伝達する制御ラインであって、さらに制御ライン２５を介して得られるアンプ１２１の出力信号から手ブレ補正回路１９はＶＡＰが手ブレ補正のための所望位置に到達したかどうかを検出する。２２はＶＡＰ動作命令をレンズ／カメラ制御回路１４から手ブレ補正処理回路１９に伝達したり、手ブレに関する情報を手ブレ補正処理回路１９からレンズ／カメラ制御回路１４に伝達する為の制御ラインである。
【００４２】
ここで図３で列挙したようなデジタルフィーチャを実行するカメラ信号処理回路９の内容について簡単に説明する。
【００４３】
図２はカメラ信号処理回路９の内部を示すブロック図である。アンプ８からの映像信号はＡＧＣ回路９ａを経てＡ／Ｄ変換器９ｂでＡ／Ｄ変換される。
【００４４】
９ｃはＡ／Ｄ変換器９ｂの出力信号を輝度信号と色差信号に変換するＹ＆色差信号変換処理回路である。９ｄ、９ｅはそれぞれスイッチ列である。デジタルフィーチャを実行するときには、その情報がレンズ／カメラ制御回路１４より制御ライン３３を介してもたらされるので、これにしたがってスイッチ列９ｄ、９ｅの各スイッチをそれぞれデジタル処理を行う側のＤ側に倒す。デジタルフィーチャを実行しなときには該スイッチ列がそれぞれＮ側に切り換えられている。スイッチ列がＮ側に倒れている場合、デジタルフィーチャ信号処理回路９ｈへ信号は入力されず、直接Ｙ＆搬送色信号変換回路９ｆに入力されて、９ｆで色差信号は搬送色信号に変換され、輝度信号と重畳後、Ｄ／Ａ変換器９ｇに出力され、Ｄ／Ａ変換される。
【００４５】
上記スイッチ列９ｄ、９ｅがそれぞれＤ側に切り換えられている場合、スイッチ列９ｄの出力はデジタルフィーチャ信号処理回路９ｈに入力され、このデジタルフィーチャ信号処理回路９ｈで制御ライン３３を介してレンズ／カメラ制御回路より得られるデジタルフィーチャの種類の指定に従ってデジタル信号処理が施される。そしてその信号がスイッチ列９ｅに出力され、Ｙ＆搬送色信号変換回路９ｆ、Ｄ／Ａ変換器９ｇを経てアンプ１０及び不図示のレコーダ部に出力される。
【００４６】
図４は本発明に於けるレンズ／カメラ制御回路１４内の処理を示す図面である。そしてこのレンズ／カメラ制御回路１４の処理は、本発明のモード制御手段及び制御手段を構成する。同図において、Ｓ１で処理を開始と、Ｓ２でシスコン３１からのデモモードか否かの信号を識別し、デモモードでない場合には、Ｓ３の処理に移行する。Ｓ３ではスイッチ列３２の操作によって図３に示されるデジタルフィーチャすなわちデジタル画像処理の実行命令が為され、その情報がシスコン３１から伝送されているかどうかを識別し、実行命令が為されている場合には、スイッチ列３２で選択されたデジタル画像処理をＳ８で選択し、Ｓ９でその選択された画像処理を実行する。
【００４７】
Ｓ３でデシタル画像処理の実行命令が為されていないことを確認した場合には、Ｓ４でデシタル画像処理の実行を停止し、Ｓ５でＡＦ評価値処理回路１２の出力信号を枠生成回路３５で形成された測距枠内の合焦度信号として読みとり、この信号にもとづいて、Ｓ６で合焦度を判断してフォーカスレンズ１０６を駆動すべくＳ７でレンズ制御信号をフォーカスドライバ１５に向けて出力する。
【００４８】
Ｓ２でデモモードと判別された場合には、Ｓ１０の処理へと移行し、装置が手持ち状態であるかどうかを確認する。この手持ち状態であるか否かの情報は図１の手ブレ補正処理回路１９から制御ライン２２を経てレンズ／カメラ制御回路１４にもたらされており、これによって手持ち状態か否かの判別が行われる。図７（ａ）は手持ち状態でなく台等の上に設置されている場合の手ブレ検出部１８の出力波形である。このような状態では、手ブレ検出部１８の出力波形は安定しており、手ブレがないことを示している。手持ちの場合にはこの出力波形が図７（ｂ）の様に変化するので、図７（ａ）と図７（ｂ）の波形の違いを手ブレ補正処理回路１９が検出し、手持ちか否かの情報をレンズ／カメラ制御回路１４に出力する。この手ブレ補正処理回路１９が本発明の判別手段を構成する。
【００４９】
Ｓ１０で手持ちでないと判断された場合（図７（ａ）のように手ブレ検出部１１８の出力波形が安定している）には、デジタルフィーチャのデモを実行する。
【００５０】
Ｓ１１でシスコン３１にデモ中でかつ手持ちではない旨の情報を出力し、先ず、Ｓ１２でデジタル画像処理番号Ｎが１０（∵図３に示されるようにデジタル画像処理が１０種類用意されているとして、各処理に１〜１０までの番号を付し、順に実行して行く）に至ったかどうかを確認し、至ってない場合にはＳ１３でＮをインクリメントする。Ｓ１４で図３のＮに対応するデジタル信号処理を実行し、Ｓ１５、Ｓ１６で所定時間１つのデジタル信号処理を実行し続けるべく時間をカウントし、続いてＳ５以下の処理でＡＦを実行する。
【００５１】
これによってデジタルフィーチャの実行中も良好な画像が得られる。所定時間１つのデジタル信号処理が実行されたことをＳ１５で検知すると、Ｓ１７でデモ時間を計測する時間カウンタをクリアし、実行中のＮ番目のデシタルフィーチャの実行を停止する。１０通りのデジタル画像処理のデモが終了したことをＳ１２で確認すると、Ｓ１９でＮを０クリアし、Ｓ２を経てデモが最初から再度実行される。
【００５２】
Ｓ１０で手持ちであると判断された場合には、Ｓ２０でシスコン３１にデモ中でかつ手持ちである旨の情報を出力してデモモードを中断し、Ｓ３の処理へ移行する。手持ちである場合の判断は、手ブレ検出部１１８の出力が図７（ｂ）のような波形を呈していることによって行われ、この場合は、操作者が撮影を行っていると判断する。
【００５３】
Ｓ３以下の処理は先に説明した通常撮影動作の処理である。一連の通常動作の処理が終了すると、Ｓ２の判断を行い、更にＳ１０の判断を行うので、デモモードで手持ちの場合にはデモモードを中断して通常動作を継続し、手持ち状態から手持ちでない状態に変化すれば、Ｓ１０の処理で判別され、デジタルフィーチャのデモを再開する。
【００５４】
図５は図４の処理を操作者の側から見たときの操作者の操作の手順を示したものである。Ｓ３１からＳ３２までは図１３で説明したＳ６１からＳ６５間での動作と同等である。
【００５５】
Ｓ３６で操作者がデモモードはそのまま継続されており、現在手持ちでない場合には、Ｓ４０を経てＳ３５の操作に戻る。
【００５６】
手持ちの状態に於いてはＳ４０からＳ４１に動作が移行し、通常動作に対する操作を行うことが出来る。この後、Ｓ４０で手持ちの状態からそうでない状態に移行したら、Ｓ３５でデモの実行が再開される。デモを本当に終了するには、Ｓ３７で一旦電源をＯＦＦし、ＦＦ・ＲＥＷキーを押さずにＳ３８で電源をＯＮさせればよい。これによってデモモードが解除され、通常動作へと移行することができる。
【００５７】
以上の構成によって操作者はビデオ一体型カメラの各種デジタル画像処理を順に所定時間ずつ実行させ、その種類内容、効果を確認することができ、またデモモード中であっても通常動作を行うことができる。
【００５８】
また通常動作を終了してから再びデモモードを再開することもできる。
【００５９】
さらにデモモードを解除して通常動作のみに移行する際も、電源のＯＦＦ→ＯＮのみで良く、操作性も良い。
【００６０】
（第２の実施例）
第１の実施例に於いては手持ち状態か否かの判別を行う判別手段として光学式手ブレ補正システムを利用した装置について説明を行った。本発明は電子式の手ブレ補正システムを搭載している装置についても同様にこれを利用して手持ち状態の判別に用いることが出来る。
【００６１】
図８は電子式の手ブレ補正システムをカメラ信号処理回路４０内に備えている装置の基本構成を示すブロック図であり、図１から光学式手ブレ補正システム関連ブロックを削除した構成となっている。
【００６２】
図９にカメラ信号処理回路４０内部の構成を示した。図２と信号の流れの基本は同じであるため、図２と同一構成部分については同一符号を付し、説明を省略する。同図ではＹ＆色差信号変換信号処理回路９ｃとスイッチ列９ｄの間に、デジタル手ブレ補正処理回路４０ａが挿入されており、これによって本発明の判別手段が構成される。図１０は４０ａ内の処理を極めて簡略化して示したものである。Ｓ５１で処理をスタートし、Ｓ５２で、実際に録画される映像画角より若干広い画角の映像情報をフィールド同期で画像メモリに取り込み、Ｓ３で現フィールドの画像情報と前フィールドの画像情報を比較することによって被写体の移動に関するベクトル量を算出する。そしてＳ４でベクトル量の絶対値が所定閾値Ａよりも大きく且つ所定閾値Ｂよりも小さい場合、手ブレであると判断してＳ５で手ブレ補正処理、例えば前記若干広めの画角の中から実際に録画される映像を切り出す際、手ブレを補正する方向に切り出し枠を移動させるように掃き出し番地を調節する等の処理を行なう。手ブレ補正を行ったということは手持ち状態であるということであるから、Ｓ６で手持ち情報をＯＮとし、Ｓ２の処理に戻る。ここで所定閾値ＡとＢの関係はＡ＜Ｂであり、｜移動ベクトル｜＜Ａであるときには、動きがほとんどなく、被写体もカメラも静止していると考えられ、台等に設置されていると考えられる。また、Ｂは通常の手ブレより大きく被写体の移動と判断する閾値である。したがってＡ＜｜移動ベクトル｜＜Ｂのときに手ブレであると判断する。Ｓ４で所定閾値Ｂより移動ベクトルの絶対値が大きいと判断された場合、あるいは移動ベクトルが所定閾値Ａ以下であると判断された場合には、ビデオカメラ自体が台、三脚に設置されているか、被写体の移動である可能性が高いので、手ブレ補正を行わず、Ｓ７で手持ちの情報をＯＦＦとしてＳ２の処理に戻る。
【００６３】
４０ａでは手ブレ補正処理を行うと同時に、図１０で示した手持ち情報を３３を介してレンズ／カメラ制御回路１４に出力する。そして手ブレ補正処理を施された映像情報は、スイッチ９ｄを介して図２と同様の処理経路を通る。
【００６４】
手持ち情報のＯＮ／ＯＦＦ情報を制御ライン３３を介して受けた後のレンズ／カメラ制御回路１４の動作は第１の実施例の場合と同様である。
【００６５】
（第３の実施例）
手持ちか否かを判別する目的であれば、図１１に示すような簡易的な検出手段を用いることも出来る。図１１では、ビデオ一体型カメラ５０の底部にスイッチ５１が備わっており、ビデオ一体型カメラが台上に置かれている場合とそうでない場合とで、このスイッチがＯＮ／ＯＦＦするようになっている。これによって本発明の判別手段を構成する。
【００６６】
この時のビデオ一体型カメラ内部のシステム構成は図１２に示すとおりである。即ちスイッチ６１の出力信号がレンズ／カメラ制御回路１４に入力されている。この出力信号線は、抵抗６０によってプルアップされているので、スイッチ６１が閉じるとＬ、開くとＨの信号がレンズ／カメラ制御回路１４に入力される。
【００６７】
このＨまたはＬの信号によって台上に置かれているか否かを判断し、第１、第２の実施例と同様の処理を行って、デモモードと通常動作を切り換える。
【００６８】
このように、ビデオ一体型カメラが手持ちであることを検出できる手段であれば、本発明の判別手段の機能を満たすことができ、その形態は何でもよい。
【００６９】
尚、以上の実施例において、請求項１のモード制御手段は、カメラ信号処理回路９内で行われる図３の各種デジタルフィーチャ（デジタル画像処理）をシスコン３１からの指示にしたがってレンズ／カメラ制御回路１４内の図４に示すフローチャートの処理で実行する構成によって達成され、判別手段は手ブレ補正処理回路１９（第１の実施例）、デジタル手ブレ補正処理回路４０ａ（第２の実施例）、スイッチ５１（第３の実施例）によって達成され、制御手段はレンズ／カメラ制御回路１４内の図４に示すフローチャートの処理によって達成される。
【００７０】
【発明の効果】
以上述べたように、本願における請求項１に記載の発明によれば、モード制御手段によって複数のモードを所定の手順で実行されているとき、前記判別手段によって前記電子機器が操作者に支持されていると判別された場合には、前記モード制御手段のモード実行動作が前記制御手段によって停止または禁止されるように構成したので、デモモード中に操作者が撮影動作を試みようと思ったとき、これを自動的に判別してデモモードを中断して撮影動作を行うことができ、従来のように複雑な煩わしい操作を何度も行うことなく、迅速にモード切換を行うことができ、操作性が良好で、誤動作がなく操作を行うことができる。
【００７１】
また本願における請求項２、３に記載の発明によれば、デモモード中に、撮影動作の試用を行っても、試用撮影を終了するとデモモードを再開し、複数のモードを順次所定時間ずつ実行するように動作するようにしたので、撮影動作の試用を妨げることなくビデオカメラ等の電子機器の持つ複数のデジタル画像信号処理動作の種類及び機能を確実にかつ容易に確認することができる。
【００７２】
また本願における請求項４に記載の発明によれば、請求項３の発明において、前記判別手段によって操作者が支持していることが検出された場合には、前記モード制御手段の実行が中断され、通常撮影動作の実行が可能となり、前記操作者が支持していないことが判別された場合には、前記モード制御手段の実行が再開されるようにしたので、デモモードへと復帰する際も、試用撮影の終了を自動的に判別してデモモードに復帰させることができ、迅速にモード切換を行うことができ、操作性が良好で、誤動作なく操作を行うことができる。
【００７３】
また本願における請求項５に記載の発明によれば、手ブレ補正手段の状態にしたがって操作者が支持しているか否かの判別を行うため、特別な構成を必要とせず、確実にデモモードの中断、復帰動作を行うことができる。
【００７４】
また本願における請求項６に記載の発明によれば、映像信号中より動きベクトルを検出する動き検出手段の出力にしたがって操作者が支持しているか否かの判別が行われるため、特別な構成を必要とせず、確実にデモモードの中断、復帰動作を行うことができる。
【００７５】
また本願における請求項７に記載の発明によれば、前記電子機器本体が台等に載置されたことを検出する検出手段によって使用状態の識別が行われるようにしたので、手ブレ補正手段等を有していない機器であっても、デモモードと撮影試用状態の判別を確実に行うことができる。
【００７６】
また本願における請求項８に記載の発明によれば、複数のモードを所定の手順で順次所定の時間ずつ実行するモード制御手段の動作中に、前記電子機器が操作者に支持されていると判別された場合には、前記モード制御手段のモード実行動作を中断されて前記撮影手段の動作が可能となるようにしたので、デモモード中に操作者が撮影動作を試みようと思ったとき、これを自動的に判別してデモモードを中断して撮影動作を行うことができ、従来のように複雑な煩わしい操作を何度も行うことなく、迅速にモード切換を行うことができ、操作性が良好で、誤動作なく操作を行うことができる。
【００７７】
また本願における請求項９に記載の発明によれば、前記電子機器はビデオカメラであり、ビデオカメラにおけるデジタル画像信号処理の種類及び機能を順次実行させて見ることができるようにしたので、撮影動作の試用を妨げることなく、ビデオカメラ等の電子機器の持つ複数のデジタル画像信号処理動作の種類及び機能を確実にかつ容易に確認することができる。
【００７８】
以上のように、簡単な構成で、デモモードと試用撮影動作と効率良く実行することができ、各種機能のデモンストレーションと、撮影試用動作とを複雑な切換操作なしに、相互に簡単に切り替えることができ、店頭におけるデモンストレーションだけでなく、複数モードの種類と機能の確認を行う場合にも、操作性がよく、その操作上の効果は大きい。
【図面の簡単な説明】
【図１】本願におけるモード切換手段を備えた電子機器を、ビデオ一体型カメラに適用した場合の構成の位置例を示すブロック図である。
【図２】図１の構成において、カメラ信号回路の内部構成を説明するブロック図である。
【図３】複数の機能であるデジタル画像処理の種類を示す一覧表である。
【図４】図１の構成における処理動作を説明するためのフローチャートである。
【図５】図４の処理を操作者側から見て記したフローチャートである。
【図６】可変頂角プリズムＶＡＰのぶれ補正動作を説明するための図である。
【図７】ぶれのあるときと、ぶれのないときの手ブレ検出センサの出力信号波形を示す図である。
【図８】本発明の第２の実施例の構成を示すブロック図である。
【図９】図８のブロック図において、カメラ信号処理回路４０内の内部構成を示すブロック図である。
【図１０】図９のフロック図において、デジタル手ブレ補正処理回路において行われる処理を示すフローチャートである。
【図１１】本発明の第３の実施例で用いられ、ビデオカメラが台にに置かれているか否かを検出するための構成を示す図である。
【図１２】図１２は、本発明の第３の実施例の構成を示すブロック図である。
【図１３】従来のビデオカメラ等の電子機器において、デモモードを動作させるための手順を示すフローチャートである。
【図１４】デモモードのＯＮ／ＯＦＦ設定動作を行うためのシスコンにおける処理を示すフローチャートである。
【符号の説明】
９  カメラ信号処理回路
９ｈ  デジタルフィーチャ信号処理回路
１４  レンズ／カメラ制御回路
１８  手ブレ検出部
１９  手ブレ補正処理回路
３１  シスコン
４０  カメラ信号処理回路
４０ａ  デジタル手ブレ補正処理回路
【図１】
0003563821.tif 000002
【図２】
0003563821.tif 000003
【図３】
0003563821.tif 000004
【図４】
0003563821.tif 000005
【図５】
0003563821.tif 000006
【図６】
0003563821.tif 000007
【図７】
0003563821.tif 000008
【図８】
0003563821.tif 000009
【図９】
0003563821.tif 000010
【図１０】
0003563821.tif 000011
【図１１】
0003563821.tif 000012
【図１２】
0003563821.tif 000013
【図１３】
0003563821.tif 000014
【図１４】
0003563821.tif 000015